(57)【要約】【課題】摩擦力を増強させる部材を壁面に押し付けることで壁面に対象物を固定する壁面固定構造において、壁面が凹凸を有していたり、曲面で構成されていたりしても使用できるようにすることを課題とする。【解決手段】壁面に対象物を取り付ける壁面固定構造でとして、硬質の板体により形成される、前記対象物を支持する押さえ板と、前記押さえ板裏面全体に設けられる押し付けられると壁面に沿って変形する部材により形成される摩擦力付加部材と、前記壁面に固定される壁面支持体と、前記壁面支持体と前記押さえ板との間を連結し、前記押さえ板に前記摩擦力付加部材側へ押圧力を加える押圧力付加手段とを有する。【選択図】  図２
2008036207.tif 000002
【特許請求の範囲】
【請求項１】
壁面に対象物を取り付ける壁面固定構造であって、
硬質の板体により形成される、前記対象物を支持する押さえ板と、
前記押さえ板裏面全体に設けられる押し付けられると壁面に沿って変形する部材により形成される摩擦力付加部材と、
前記壁面に固定される壁面支持体と、
前記壁面支持体と、前記押さえ板との間を連結し、前記押さえ板に前記摩擦力付加部材側へ押圧力を加える押圧力付加手段と
を有する壁面固定構造。
【請求項２】
前記摩擦力付加部材は低反発素材合成樹脂を主材料とするものである請求項１に記載の壁面固定構造。
【請求項３】
前記壁面支持体は、曲線部分もしくは角部分を有する壁面に沿って固定される線状部材により形成される請求項１又は２に記載の壁面固定構造。
【請求項４】
前記線状部材は、前記押圧力付加手段の一端が係合できる溝が表面に沿って形成される請求項３に記載の壁面固定構造。
【請求項５】
前記壁面固定構造において、前記押さえ板は２以上設けられるものであって、押さえ板同士は互いの相対的な取り付け角度が変更可能に形成される
請求項１から４のいずれか１項に記載の壁面固定構造。
【請求項６】
前記摩擦力付加部材内部に、前記押さえ板の裏面から壁面方向に向う弾性体からなる素材から形成される突起が複数分散して設けられる
請求項１から５のいずれか１項に記載の壁面固定構造。
【請求項７】
前記摩擦力付加部材の少なくとも裏面に前記摩擦力付加部材を構成する主材料よりも前記壁面との摩擦係数が高くなる部材である摩擦係数増加部材を設けた請求項１から６のいずれか１項に記載の壁面固定構造。
【請求項８】
前記摩擦係数増加部材は、粒状体もしくは粉状体として前記前記摩擦力付加部材の主材料内に分散して含まれる
請求項７に記載の壁面固定構造。
【請求項９】
請求項１から８のいずれか１項に記載の前記押さえ板と前記摩擦力付加部材とを含む壁面取り付け用の家具。
【請求項１０】
請求項３又は４に記載の前記壁面支持体。
【発明の詳細な説明】
【技術分野】
【０００１】
本発明は家具や絵画等を壁面に取り付けるための構造に関する。
【背景技術】
【０００２】
従来から、家具などの対象物を壁面に取り付ける方法として、家具をＬ字型の金具などで下方から支持する方法や、対象物の背面を壁面にネジ止めする方法、壁面に設けられたフック等にワイヤー等で吊下げる方法、壁面に固定したブラケットに対象物の背面に形成した係合部材を係合させる方法などがあるが、これらの方法では壁面に固定されるネジなどに対して直接対象物の荷重がかかることになるため、対象物の重さに応じてネジなどを固定する数を増やしたり、ネジの太さを太くしたりする必要があり、壁面に対して多くの穴を開けたり傷をつけたりする。
これに対して、下記特許文献１、２には摩擦力を増強させる部材を壁面に押し付けることで壁面に固定する構造が示されている。このような構造であれば摩擦力を増強させる部材の面積を大きし、押圧力を強くすれば、壁面に沿って上方に向かう力を増強できるので、壁面に対して直接穴を開けたり、傷つけたりすることを少なくすることが可能である。
【特許文献１】実開昭５７−１１７４１０号公報
【特許文献２】特開２００５−２４０９９９公報
【発明の開示】
【発明が解決しようとする課題】
【０００３】
ところで、上記特許文献１、２に記載の発明では壁面が平らなことが前提となっている。しかし、壁面には凹凸があったり、曲面で構成されているものがあったりするために、場合によっては上記のような構造を使用できない場合がある。
本発明はこのような問題に鑑み、摩擦力を増強させる部材を壁面に押し付けることで壁面に対象物を固定する壁面固定構造において、壁面が凹凸を有していたり、曲面で構成されていたりしても使用できるようにすることを課題とする。
【課題を解決するための手段】
【０００４】
上記課題を解決するために、本発明は次のような構成を有する。
請求項１に記載の発明は、壁面に対象物を取り付ける壁面固定構造であって、硬質の板体により形成される、前記対象物を支持する押さえ板と、前記押さえ板裏面全体に設けられる押し付けられると壁面に沿って変形する部材により形成される摩擦力付加部材と、前記壁面に固定される壁面支持体と、前記壁面支持体と前記押さえ板との間を連結し、前記押さえ板に前記摩擦力付加部材側へ押圧力を加える押圧力付加手段とを有する。なお、「対象物を支持」するとは、直接支持する場合のみならず、他の部材を介して間接的に支持する場合が含まれる。また、押さえ板は裏面全体が摩擦力付加部材に当接している部分を指し、押さえ板の周囲に摩擦力付加部材にかからない付加的な部分が設けられる場合もありえる。さらに、押圧力付加手段による壁面支持体と押さえ板との連結は、壁面支持体と押さえ板を直接連結する場合のみならず、他の部材を介して間接的に連結する場合が含まれる。
請求項２に記載の発明は、前記壁面固定構造において、前記摩擦力付加部材が低反発素材合成樹脂を主材料として形成されるものである。なお、低反発合成樹脂とは、押圧力に対して緩やかに変形し、変形した形状を保持したまま反発する発泡合成樹脂であり、発泡ウレタンや、発泡ポリスチレン等が例示される。また、主材料とは、摩擦力付加部材の５０％以上を構成する部材を構成する材料を意味するものとする。
請求項３に記載の発明は、前記壁面固定構造において、前記壁面支持体は、曲線部分もしくは角部分を有する壁面に沿って固定される線状部材により形成されるものである。
請求項４に記載の発明は、前記壁面固定構造において、前記線状部材は、前記押圧力付加手段の一端が係合できる溝が表面に沿って形成されるものである。
【０００５】
請求項５に記載の発明は、前記壁面固定構造において、前記押さえ板は２以上設けられるものであり、押さえ板同士は互いの相対的な取り付け角度が変更可能に形成されるものである。
請求項６に記載の発明は、前記壁面固定構造において、前記摩擦力付加部材内部に、前記押さえ板の裏面から壁面方向に向う弾性体からなる素材から形成される突起が複数分散して設けられるものである。
請求項７に記載の発明は、前記壁面固定構造において、前記摩擦力付加部材の少なくとも裏面に前記摩擦力付加部材の主材料よりも前記壁面との摩擦係数が高くなる部材である摩擦係数増加部材を設けたものである。
請求項８に記載の発明は、請求項７に記載の壁面固定構造において、前記摩擦係数増加部材は、粒状体もしくは粉状体として前記摩擦力付加部材の主材料内に分散して含まれるものである。
請求項９に記載の発明は、前記押さえ板と前記摩擦力付加部材とを含む壁面取り付け用の家具である。なお、家具には、棚やテーブルなど他、絵画などの装飾物、テレビなどの家庭用電化製品、時計やカレンダーが含まれる。
請求項１０に記載の発明は、請求項２又は３に記載の前記壁面支持体である。
【発明の効果】
【０００６】
請求項１に記載の発明は、壁面に固定される壁面支持体と押圧力付加手段により押さえ板とこれに押えられる摩擦力付加部材が壁面に押さえつけられ、この摩擦力付加部材と壁面との摩擦力により壁面に平行な方向の力を支持することができ、さらに、摩擦力付加部材が壁面に沿って変形する部材により形成されるので、壁面が凹凸を有したり、曲面により構成されていたりしても、摩擦力付加部材は壁面に沿って変形し、壁面に対する摩擦力を維持することができる。
請求項２に記載の発明は、摩擦力付加部材を低反発泡合成樹脂により形成することで、比較的簡易に製造することができる。
請求項３に記載の発明は、壁面支持体を曲線部分や角部分を有する線状部材により形成した場合に、壁面から壁面支持体が突出していても、摩擦力付加部材が変形することで、対応することができ、壁面支持体により壁面に種々の装飾を施すことができる。
請求項４に記載の発明は、壁面支持体表面側に押圧力付加手段に係合する溝を構成することで、押圧力付加手段の構成を簡易にすることができる。
【０００７】
請求項５に記載の発明は、２以上の押さえ板の互いの取り付け角度を変更可能とすることで、摩擦力付加部材の変形だけでは対応できない、大きな曲面に対しても押さえ板の角度を取付面に沿うように変更することで対応することができる。
請求項６に記載の発明は、弾性体からなる素材から形成される突起が摩擦力付加部材内部に設けられることにより、押圧によって変形した突起が反発することにより摩擦力付加部材裏面側の押圧力を高めることができる。
請求項７に記載の発明は、前記摩擦力付加部材の少なくとも裏面に前記摩擦力付加部材の主材料よりも壁面と摩擦係数が高くなる摩擦係数増加部材を設けることで、壁面との摩擦力を高くすることができ、耐荷重を増加させることができる。
請求項８に記載の発明は、摩擦係数増加部材が粒状態もしくは粉状体として摩擦力付加部材の主材料内に設けられることで、摩擦を高めた摩擦力付加部材を比較的容易に製造することができる。
請求項９に記載の発明は、押さえ板と摩擦力付加部材を壁面取り付け用の家具が有することで、押圧力付加手段により壁面に固定される壁面支持体と押さえ板とを連結させて押さえつけることで、当該家具を壁面に固定することができる。
請求項１０に記載の発明は、壁面支持体を壁面に固定しておけば、任意の位置に、請求項９に記載の家具を固定することができる。
【発明を実施するための最良の形態】
【０００８】
以下、本発明の実施の形態について、図面を参照しながら説明する。
（実施の形態１）
図１に本実施の形態に係る壁面固定構造Ａにより取り付けられた壁面取付具Ｘの斜視図を示し、図２に壁面取付具Ｘの壁面を含む縦断面図を示し、図３に図１の分解斜視図を示す。壁面取付具Ｘは、押さえ板１０、摩擦力付加部材２０、壁面支持体３０、押圧力付加体４０とから構成される。
押さえ板１０は、長方形状の金属製の板体であり、中央に縦長のスリット状の貫通孔１１が設けられている。また、押さえ板１０の表面四隅近傍には、家具などを取り付けるための雌ネジが切られた係合部１２が設けられている。
摩擦力付加部材２０は、低反発ウレタンにより形成される扁平な直方体状であって一面が押さえ板１０の表面と同じ形状を有している。摩擦力付加部材２０は押さえ板１０の裏面全体に貼り付けられており、図示しない押さえ板１０の貫通孔１１と重なる同形の貫通孔が設けられている。
壁面支持体３０は、途中部分にＳ字状の曲線部を有する壁面に沿う形状を有する金属性のレール体であり、壁面にネジにより固定されている。レール表面には溝３１が形成されており、溝の底面部分３１ａが溝開口部よりやや広くなるように形成されており、溝の断面形状は逆Ｔ字状になっている。
押圧力付加体４０は、壁面支持体の溝３１の底面部分に係合して、溝３１内を摺動する円形の板状体からなる溝係合部４１、溝係合部４１の表面中心に溝３１から表出するように立設される連結棒４２、連結棒４２の先端に設けられる半球状の押さえ部４３と、押さえ部４３の直下の連結棒４２の外周に形成される係合溝４２ａと、係合溝４２ａの幅とほぼ合致する厚さを有する、係合溝４２ａに係合するＣリング４４とから構成される。連結棒４２の太さは押さえ板１０の貫通孔１１を通る程度であり、連結棒４２の長さは、壁面から係合溝４２ａの下端側までの長さが、摩擦力付加部材２０と押さえ板１０を合わせた高さよりもやや短くなるような長さに設定されている。
【０００９】
次に、以上のような構成を有する壁面取付具Ｘの使用方法について説明する。なお、壁面Ｈには、装飾として突起Ｈａが設けられている。まず、使用者は、押圧力付加体４０のＣリング４４をはずした状態で、押圧力付加体４０を壁面支持体４０の溝３１内を摺動させ適当な場所に位置づける。次に、押圧力付加体４０の連結棒４２に摩擦力付加部材２０及びこれに一体に固定される押さえ板１０を中央の貫通孔に通し壁面Ｈに押し付ける。押さえ板１０の貫通孔１１から連結棒４２先端近傍の係合溝４２ａが表出したら、この係合溝４２ａにＣリング４４を嵌める。これにより、低反発ウレタンにより形成される摩擦力付加部材２０は、壁面支持体３０に当たる部分及び壁面Ｈの突起Ｈａに当たる部分はへこみ、残りの部分が壁面に当接して押圧することとなる。その後、押さえ板１０の係合部１２に棚や額などの取り付け対象物を取り付けて作業を完了する。
この壁面取付具Ｘによる壁面固定構造Ａの壁面に平行な方向の耐荷重は主に、壁面Hと摩擦力付加部材２０との接触面に発生する摩擦力により決り、壁面に当接する部分の面積を大きくすることで、耐荷重を適宜大きくすることができる。また、摩擦力は壁面への押圧力にも比例するので、押圧力付加体４０による押圧力を大きくすることによってもかかる耐荷重を大きくすることができる。さらに、摩擦力付加部材２０の壁面Ｈの突起Ｈａや壁面支持体３０によりへこんだ部分も壁面に平行な方向の耐荷重の増加に寄与する一方で、へこむことで他の部分が壁面に接触し、摩擦力を確保することができる。
【００１０】
（実施の形態２）
図４に実施形態２に係る壁面固定構造Ｂにより取り付けられた壁面取付具Ｙの斜視図を示し、図５に壁面取付具Ｙの平面図を示す。この壁面取付具Ｙは、実施形態１に係る壁面取付具Ｘとほぼ同様の構成を有するが、押さえ板と摩擦力付加部材の形状が円柱形である点と、押圧力付加体が押さえ板の外側の２点から押圧力を付加する点である。壁面取付具Ｙも、押さえ板５０、摩擦力付加部材６０、壁面支持体３０、押圧力付加体７０とから構成される。
押さえ板５０は、円形の金属製の板体であり、表面には４箇所、家具などを取り付けるための雌ネジが切られた係合部５１が設けられている。
摩擦力付加部材６０は、低反発ウレタンにより形成される扁平な円筒状であって一面が押さえ板５０の表面と同じ形状を有し、押さえ板５０の裏面全体に貼り付けられている。
壁面支持体３０は、実施形態１に示すものと同様であるので、説明は省略する。
押圧力付加体７０は、と壁面支持体３０の溝３１の底面部分に係合して、溝３１内を摺動する円形の板状体からなる溝係合部７１、溝係合部７１の表面中心に溝３１から表出するように立設される連結棒７２、連結棒７２の先端に
設けられる板体をＬ字状に曲げた鉤部７３と、鉤部７３の水平部分の中心に形成されるネジ穴に係合する押さえネジ７４とから構成される。押圧力付加体７０は２個で一組として機能する。
【００１１】
このような構成を有する壁面固定具Ｙの使用方法は、２つの押圧力付加体７０のそれぞれを適度な間隔だけ離しておき、この押圧力付加体７０の間の壁面支持体３０を構成するレール上に摩擦力付加部材６０及びこれに一体に固定される押さえ板５０を押さえつけて摩擦力付加部材６０の底面が壁面Ｈを押圧するようにする。次に、各押圧力付加体７０を移動させ、鉤部７３の水平部分により押さえ板５０の表面を押さえるようにする。最後に、押さえネジ７４を締め付けて押さえ板５０を壁面Ｈ側に押圧することで壁面固定具Ｙの固定が完了する。その後、押さえ板５０の係合部５１に棚等を固定すればよい。
この壁面固定具Ｙによる壁面固定構造Ｂも実施形態１に係る壁面固定構造Ａと同様に壁面に凹凸があっても、摩擦力付加部材６０が壁面に密接して摩擦力を発生させることができる。
【００１２】
（実施形態３）
図６に実施形態３に係る壁面固定構造Ｃにより取り付けられた壁面取付具Ｚの分解斜視図を示し、図７に、壁面固定構造Ｃにより取り付けられた壁面取付具Ｚの縦断面図を示す。壁面取付具Ｚは、棚本体８０、摩擦力付加部材９０、壁面支持体１００、押圧力付加体１１０とから構成される。
棚本体８０は、線材を組み合わせて棚を構成したものであり、両側面を構成する線材をＵ字状に曲げて構成される側部８１と、側部８１の底面間を連結して構成される棚板部８２と、側部８１の後端側に設けられる側部８１間を連結する垂直な枠体からなる背面部８３と、側部８１の４つの端部に設けられる、円形のやや厚い板体からなる押さえ板８０ａとから構成される。
摩擦力付加部材９０は、低反発ウレタンにより形成される押さえ板８１ａの底面と同じ円形面を有する円筒体であり、押さえ板８１ａの背面に接着固定されている。
壁面支持体１００は、壁面に垂直に、互いに平行に固定される２枚の長い板からなる壁面固定板１０２と、壁面固定板１０２のそれぞれから左右対称に水平に立設される脚部材１３０と、それぞれの壁面固定晩１０２の脚部材１０３の先端を連結するように水平に固定される水平部材１１０とから構成される。水平部材１１０は、上下に３つ設けられている。
押圧力付加体１１０は、棚本体８０の背面部８３のほぼ中心を構成する線材に固定される円筒体の本体に背面側に壁面支持体１００の水平部材１１０に係合する。鉤１１１が設けられたものである。鉤１１１の位置は、鉤１１１を水平部材１１０に係合させると、摩擦力付加部材９０の後端は壁面に当接し、さらに、圧縮されるような位置に設定されている。
【００１３】
次に、以上のような構成を有する壁面取付具Ｚの使用方法について説明する。使用者は、４つの押さえ板８０ａおよびこれに固定される摩擦力付加部材９０を上下方向の中間に壁面支持体１００の任意の水平部材１１０が位置するように壁面に押し付けて摩擦力付加部材９０を圧縮させる。この状態で、押圧力付加体１１０の鉤１１１を水平部材１１０に係合させることで、棚本体８１が壁面に固定されることとなる。
壁面取付具Ｚによる壁面固定構造Ｃは、摩擦力付加部材９０が分散しているので、壁面に高低差の大きな凹凸があっても対応することができ、また、対応できない凹凸を適宜避けるようにして取り付けることができる。
【００１４】
（実施形態４）
図８に実施形態４に係る壁面固定構造Ｄにより取り付けられた壁面取付具Ｗの側面図を示す。壁面取付具Ｗは、取付干１２０、摩擦力付加部材１３０、壁面支持体１４０、押圧力付加部材１５０から構成される。
取付干１２０は、やや湾曲した長い板状体で側面にいくつかの穴１２２が設けられている、そして、取付干１２０の両端には、回動軸１２１により回動自在に固定される押さえ板１２０ａが設けられている。
摩擦力付加部材１３０は、低反発ウレタンにより形成される押さえ板１２０ａの底面と同じ円形面を有する円筒体であり、押さえ板１２０ａの背面に接着固定されている。
壁面支持体１４０は、断面円形の棒体であり壁面の表面に水平に固定されている。
押圧力付加部材１５０は、取付干１２０の中央に一端を回動自在に固定され、他端にネジが切ってある棒状体からなる連結棒１５４と、連結棒１５４の先端に回動自在に固定される可撓体からなるＣ字状の部材であって、壁面支持体１４０の壁面側の外周面に係合する狭持片１５１と、狭持片１５１の外面が嵌入するＵ字状の空間を有し、Ｕ字状の中心部分で連結棒１５４に通る穴が形成されている固定ブロック１５２と、連結棒１５４先端のネジに係合する締め付けナット１５３とから構成される。連結棒１５４の長さは、狭持片１５１が壁面支持体１４０を狭持した状態で、摩擦力付加部材１３０が壁面に押圧されて圧縮する程度に設定されている。
【００１５】
このような構成を有する壁面取付具Ｗの使用方法について以下に説明する。ここでは、壁Ｈ２は図８に示すように大きな曲面により形成されているものとする。まず、使用者は、壁面支持体１４０の任意の位置に押圧力付加部材１５０の狭持片１５１を狭持させる。なお、この状態において、摩擦力付加部材１３０は壁面に押し付けられて圧縮し変形している。次に、狭持片１５１に固定ブロック１５２を被せて狭持片１５１が開かないようにし、この状態で締め付けナット１５３を締めて固定ブロック１５２を狭持片１５１側に押し付け固定する。この状態で狭持片１５１は開かないので押圧力付加部材１５０と壁面支持体１４０とは固定され、壁面取付具Ｗの固定が完了する。その後は、取付干１２０の穴１２２に固定対象物を取り付ければよい。
この壁面取付具Ｗによる壁面固定構造Ｄは、押さえ板１２０ａと摩擦力付加部材１３０が回動するので、壁面Ｈ２の曲面にあわせて適当な方向に回動させることで、摩擦力付加部材１３０の変形だけでは対応できない、より大きな曲面に対応することができる。
【００１６】
なお、上記各実施形態において、摩擦力付加部材は低反発ウレタンを使用しているが、曲面や凹凸に対して変形が可能であり、壁面に対して全面で摩擦力を付与できればどのような材質、構造のものでも採用することができる。また、押圧力を調整するために、材料の密度を適宜選択できることはいうまでもなく、さらに、摩擦力や押圧力を強くするために複合材料にすることも可能である。例えば、図９（ａ１）に示すように、摩擦力付加部材Ｎ内に、ゴムでできた突起体Ｔを壁面に対して垂直になるように設けることが例示される。このようにすることで、（ａ２）に示すように壁面に押し付けた際に、弾性体である突起体Ｔが変形することで押圧力を増大させることができる。また、図９（ｂ１）に示すように摩擦力付加部材Ｎ内に、ゴムの粒体Ｒを混入するようにしてもよい。このようにすることで、密度が高くなるので、図９（ｂ２）に示すように、圧縮させた際の押圧力を増加させることができると共に、裏面に表出するゴムの粒体Ｒが摩擦係数の向上に寄与し、摩擦力を高めることができる。このように摩擦係数を高めるために、摩擦力付加部材Ｎの裏面にゴムなどの摩擦係数が高くなる摩擦係数増加部材を設けることができ、この場合には、摩擦係数増加部材は摩擦力付加部材Ｎの変形が容易となるように、小片に分割されていることが望ましい。
【００１７】
本発明における壁面固定構造では、壁面支持体Ｓは、曲がっていたり、角を有していたりしてもよいので、壁面支持体Ｓは種々の変形が可能である。即ち、図１０（ａ）に示すように、曲線で形成したり、図１０（ｂ）に示すように格子状に形成したり、図１０（ｃ）に示すように枠状に形成したり、図１０（ｄ）に示すように枝状に形成したりすることができる。また、線状に形成される必要はないので、図１０（ｅ）に示すように壁面に点在するように設けてもよい。また、壁面支持体Ｓの壁面Ｈに対する取り付け高さも、図１１（ａ）に示すように壁面Ｈ内に埋め込まれていてもよく、図１１（ｂ）に示すように壁面Ｈ上の取り付けられていてもよく、さらに、図１１（ｃ）に示すように壁面Ｈから突出していてもよい。このように壁面支持体Ｓを種々の形状にすることができるので、例えば、図１２に示すように壁面Ｈに固定する対象物Ｏともに、壁面の装飾に寄与することができる。
【図面の簡単な説明】
【００１８】
【図１】実施の形態１に係る壁面固定構造により取り付けられた壁面取付具の斜視図である
【図２】実施の形態１に係る壁面固定構造により取り付けられた壁面取付具の縦断面図である。
【図３】実施の形態１に係る壁面固定構造により取り付けられた壁面取付具の分解斜視図である。
【図４】実施の形態２に係る壁面固定構造により取り付けられた壁面取付具の斜視図である。
【図５】実施の形態２に係る壁面固定構造により取り付けられた壁面取付具の平面図である。
【図６】実施の形態３に係る壁面固定構造により取り付けられた壁面取付具の分解斜視図である。
【図７】実施の形態３に係る壁面固定構造により取り付けられた壁面取付具の縦断面図である。
【図８】実施の形態４に係る壁面固定構造により取り付けられた壁面取付具の側面図である。
【図９】（ａ１）（ａ２）は摩擦力付加部材内に壁面に垂直な突起を設けた例を示す図であり、（ｂ１）（ｂ２）は摩擦力付加部材内にゴムでできた突起体を混入させた状態を示す図である。
【図１０】（ａ）〜（ｄ）ともに壁面支持体の変形例を示す正面図である。
【図１１】（ａ）〜（ｃ）は壁面支持体の壁面に対する取り付け高さの例を示す側面図である。
【図１２】壁面支持体と取り付け対象物により壁面が装飾された例を示す図である。
【符号の説明】
【００１９】
Ａ、Ｂ、Ｃ、Ｄ  壁面固定構造
Ｘ、Ｙ、Ｚ、Ｗ  壁面取付具
Ｈ、Ｈ２  壁面
Ｈａ  突起
１０、５０、８０ａ、１２０ａ  押さえ板
２０、６０、９０、１３０、Ｎ  摩擦力付加部材
３０、７０、１００、１４０、Ｓ  壁面支持体
４０、８０、１１０、１５０  押圧力付加部材
【図１】
2008036207.tif 000003
【図２】
2008036207.tif 000004
【図３】
2008036207.tif 000005
【図４】
2008036207.tif 000006
【図５】
2008036207.tif 000007
【図６】
2008036207.tif 000008
【図７】
2008036207.tif 000009
【図８】
2008036207.tif 000010
【図９】
2008036207.tif 000011
【図１０】
2008036207.tif 000012
【図１１】
2008036207.tif 000013
【図１２】
2008036207.tif 000014